(57)【要約】      （修正有）【課題】ソフトな光線を放出することができ、且つ好適な標識効果を有する発光のラジエータ保護シールドを提供する。【解決手段】シールド本体１と、シールド本体１に取付けられるメイン発光装置３とを備える。シールド本体１は、メイン発光領域１２０を有する標識部１２を備える。メイン発光装置３は、シールド本体１の標識部１２に取付けられ、且つ第１発光ユニットを備える。第１発光ユニットは、光線を側方向からシールド本体のメイン発光領域に投射する複数の第１発光部材３５２を備える。シールド本体の標識部に設置されるメイン発光装置、及び側方向から光を当てる方式を利用して第１発光部材からの光線を標識部のメイン発光領域内に投射することにより、ソフトで眩しくない光線を出射できるほか、標識部の標識図形がより鮮明に映って好適な標識効果が得られる。【選択図】図３
0003191457.tif 000002
【実用新案登録請求の範囲】
【請求項１】
発光の水箱保護シールドにおいて、
メイン発光領域を有する標識部を備えるシールド本体と、
前記シールド本体の標識部に取付けられるメイン発光装置と、を備え、
前記メイン発光装置は、光線を側方向から前記シールド本体の前記メイン発光領域に投射する複数の第１発光部材を有する第１発光ユニットを備える、発光の水箱保護シールド。
【請求項２】
前記シールド本体の標識部は、前記メイン発光領域を画定する枠台と、前記枠台内に位置する標識台と、を備え、
前記標識台は、前端壁と、前記前端壁から前記メイン発光領域へ延伸する透光性の環状壁と、前記前端壁と前記透光性の環状壁とにより画定され、且つ前記第１発光ユニットを取付けるための組立てスペースと、を備える、請求項１に記載の発光の水箱保護シールド。
【請求項３】
前記シールド本体の標識台における組立てスペースは、少なくとも一つのサイド延伸領域を有し、
前記メイン発光装置の第１発光ユニットは、第１回路基板を備え、
前記第１回路基板は、前記組立てスペースのサイド延伸領域に対応する少なくとも一つの径方向立壁と、前記第１発光部材を取付けるための、前記径方向立壁から前方へ延伸する取付け壁と、を備える、請求項２に記載の発光の水箱保護シールド。
【請求項４】
前記シールド本体の標識台における組立てスペースは、中心領域と、同じ角度で前記中心領域から前記枠台へ延伸する複数のサイド延伸領域と、を有し、
前記メイン発光装置の第１発光ユニットは、第１回路基板を備え、
前記第１回路基板は、前記組立てスペースのサイド延伸領域にそれぞれ対応する複数の径方向立壁と、前記第１発光部材を取付けるための、前記径方向立壁から前方へ延伸する複数の取付け壁と、を備える、請求項２に記載の発光の水箱保護シールド。
【請求項５】
前記シールド本体の標識台は、透光性材料で製造され、
前記発光の水箱保護シールドは、前記シールド本体の前方に取付けられる遮光板を更に備え、
前記遮光板は、前記標識台の前端壁の前方を覆うように配設される遮光壁を備える、請求項４に記載の発光の水箱保護シールド。
【請求項６】
前記シールド本体は、外枠部と、左右に分けて設置され、前記外枠部及び前記標識部の間に接続される二つのサイド接続部と、を更に備え、
各サイド接続部は、上下に分けて設置される二つのサイド延伸帯と、前記二つのサイド延伸帯の間に介在するサイド発光領域と、を備え、
前記発光の水箱保護シールドは、二つの、それぞれ前記サイド発光領域内に取付けられるサイド発光装置をさらに備える、請求項２〜５のいずれか１項に記載の発光の水箱保護シールド。
【請求項７】
各前記サイド発光装置は、前記シールド本体のサイド発光領域内に取付けられるサイド透光台と、第２発光ユニットと、前記サイド透光台及び前記第２発光ユニットの間に介在する導光帯と、を備える、請求項６に記載の発光の水箱保護シールド。
【請求項８】
前記サイド発光装置の前記第２発光ユニットは、横方向に間隔を隔てて設置される複数の第２発光部材を備え、
前記サイド発光装置は、前記第２発光ユニット及び前記導光帯の間に介在する集光帯をさらに備える、請求項７に記載の発光の水箱保護シールド。
【請求項９】
前記サイド発光装置の集光帯は、それぞれ前記第２発光部材に対応する複数の集光突出部を備える、請求項８に記載の発光の水箱保護シールド。
【考案の詳細な説明】
【技術分野】
【０００１】
本実用新案は、保護シールドに関し、特に車両水箱の前方に取付けられ、且つ光線を放出できる発光の水箱保護シールドに関するものである。
【背景技術】
【０００２】
一般車両はその設計において、通常、フロントの位置に水箱、及び該水箱の前方に位置する保護シールド（フロントグリル、ラジエータグリルとも称する）を備えており、また、エンジンルームの放熱を促進するために水箱保護シールドを柵状や格子状に設計されることが多い。このような構造を有する水箱保護シールドは、水箱を保護し且つ空気がエンジンルームに入るようにしているが、製品の価値はやや劣っている。
【０００３】
車両の目新しさを高めるため、当業者が水箱保護シールドの周りに光ファイバ及び発光モジュールを配設して、水箱保護シールドに発光機能を付与することがある。従来の発光の水箱保護シールドは、設計上の理由でその光線が全て前方に向かって照射されているが、このような発光装置の配置方式では、水箱保護シールドの目新しさを向上させることはできるが、その光スポットが集中し過ぎて放出した光線が比較的眩しいため、対向車の走行安全性に影響を与えやすい。一方、通常の水箱保護シールドは車両のフロントに位置しており、そのため、車両ロゴ表示用の標識領域を設ける必要がある。しかし、水箱保護シールドに配置される発光装置により直射的で且つ光スポットが集中する光線が放出されたとき、標識領域はより見えにくくなる。したがって、従来の発光の水箱保護シールドでは、直射光線が原因となって標識効果に影響を与えてしまう。
【考案の概要】
【考案が解決しようとする課題】
【０００４】
本実用新案は、ソフトな光線を放出することができ、且つ好適な標識効果を有する発光の水箱保護シールドを提供することをその目的とする。
【課題を解決するための手段】
【０００５】
本実用新案に係る発光の水箱保護シールドは、シールド本体と、該シールド本体に取付けられるメイン発光装置とを備え、該シールド本体はメイン発光領域を有する標識部を備えている。また、該メイン発光装置は、該シールド本体の標識部に取付けられ、且つ第１発光ユニットを備え、該第１発光ユニットは、光線を側方向から該シールド本体のメイン発光領域に投射する複数の第１発光部材を備える。
【考案の効果】
【０００６】
本実用新案によれば、シールド本体の標識部に設けられるメイン発光装置、及び側方向から光を当てる方法を利用して第１発光部材からの光線を標識部のメイン発光領域内に投射することにより、ソフトで眩しくない光線の発生ができるほか、標識部の標識図形がより鮮明に映って好適な標識效果が得られるという効果がある。
【図面の簡単な説明】
【０００７】
本実用新案の他の特徴と効果は、図面を参照した本考案の実施形態に明確に表れる。
【図１】本実用新案による発光の水箱保護シールドの一好適な実施例の正面立体分解図である。
【図２】上記好適な実施例の背面斜視図である。
【図３】上記好適な実施例の組立て状態を示す正面図である。
【図４】図３に示す組立て状態のＩＶ−ＩＶ線断面図である。
【図５】図３に示す組立て状態のＶ−Ｖ線断面図である。
【図６】上記好適な実施例の局部を示す正面概略図であり、主に発光の水箱保護シールドの第１発光ユニットと透光性の環状壁の相対関係を示す図である。
【考案を実施するための形態】
【０００８】
本実用新案をより詳細に説明するが、以下の説明内容において類似した構成部品に同一の符号を付していることに留意されたい。
【０００９】
図１、２、３に示されているように、本実用新案に係る発光の水箱保護シールドの一好適な実施例は、シールド本体１、シールド本体１の前方に取付けられる遮光板２、シールド本体１に取付けられ、且つ中央近傍に位置するメイン発光装置３、及びシールド本体１に取付けられ、且つメイン発光装置３の反対側に位置する（発光装置３を間に挟んで対向する位置に）二つのサイド発光装置４を含む。
【００１０】
図１、４、５、６に示されているように、シールド本体１は、外枠部１１、外枠部１１に囲まれる範囲内に、且つ中央近傍に位置する標識部１２、左右に分けて標識部１２と外枠部１１との間に接続される二つのサイド接続部１３、及び上下に分けて設置され、且つ外枠部１１と、サイド接続部１３と、標識部１２との間に接続される二つの貫通部１４を含む。外枠部１１は、中央に面する環状枠壁１１１を備える。標識部１２は、メイン発光領域１２０を画定し、遮光性材料で製造される枠台１２１、及びメイン発光領域１２０内に位置し、透光性材料で製造される標識台１２２を備える。
【００１１】
標識台１２２の形状及び組立て方法については特に制限がなく、本実施例においてはベンツ車のロゴを例として挙げる。標識台１２２は、前方に位置する前端壁１２７、及び前端壁１２７から後方に向かって延伸する透光性の環状壁１２８を備え、前端壁１２７及び透光性の環状壁１２８によって開口が後方に向かう組立てスペース１２９が画定され、組立てスペース１２９は、中央に位置する中心領域１２３、及び中心領域１２３を同じ角度で取り囲み、且つ径方向外側に向かって延伸する複数の延伸領域１２４を含む。
【００１２】
本実施例に係る各サイド接続部１３は何れも、上下に隔てて設置され、且つ横方向に延伸する二つのサイド延伸帯１３１、及び二つのサイド延伸帯１３１の間に挟まれているサイド発光領域１３２を備えている。サイド延伸帯１３１の構造については特に制限がなく、本実施例においては、サイド延伸帯１３１が全てL字型構造の板材となっている。各貫通部１４は、前後を貫通する複数の貫通孔１４１を備えており、貫通孔１４１の形状及び大きさについては特に制限がなく、任意の幾何学形状にすることができる。例えば短冊状、円弧状などにしてもよく、本実施例においては、貫通孔１４１は、蜂巣に類似した六角形になっている。
【００１３】
本実施例に係る遮光板２は、遮光性材料で製造され、シールド本体１の標識部１２の前方を覆うように配設されており、標識部１２の枠台１２１の前方に嵌装される環状キャッピング壁２１、及び標識台１２２の前端壁１２７の前方を覆うように配設される遮光壁２２を含む。
【００１４】
図２、４、６に示されているように、本実施例に係るメイン発光装置３は、シールド本体１の標識部１２に取付けられ、かつシールド本体１の標識部１２の後方に取付けられる網状キャップ３２と、標識台１２２の組立てスペース１２９内に取付けられる第１発光ユニット３５とを含む。第１発光ユニット３５は、シールド本体１の標識台１２２の組立てスペース１２９の後方を覆うように設置される後部キャップ３５０、後部キャップ３５０の前面に配設される第１回路基板３５１、及び複数の第１発光部材３５２を備える。
【００１５】
第１回路基板３５１は、組立てスペース１２９の複数の延伸領域１２４にそれぞれ対応し、且つ径方向の外側に延伸する複数の径方向立壁３５３、及びそれぞれ径方向立壁３５３から前方に延伸する複数の取付け壁３５４を備え、複数の取付け壁３５４は、三角形に配列され、第１発光部材３５２は、複数個が一組となってそれぞれ取付け壁３５４に取付けられる。上述のように設計されることによって、第１発光部材３５２からの光源を直接標識台１２２の組立てスペース１２９の延伸領域１２４内に投射することができる。また、標識台１２２の前端壁１２７が遮光板２の遮光壁２２によって遮蔽されることにより、組立てスペース１２９の延伸領域１２４に投射された光線が標識台１２２の透光性の環状壁１２８を介してシールド本体１のメイン発光領域１２０内に投射される。即ち、第１発光部材３５２からの光線は、側面からシールド本体１のメイン発光領域１２０に投射される。
【００１６】
図３、５に示されているように、本実施例の各サイド発光装置４は、シールド本体１のサイド接続部１３のサイド発光領域１３２内に設けられるサイド透光台４１、サイド発光領域１３２内に取付けられ、且つサイド透光台４１の後方に位置する第２発光ユニット４２、第２発光ユニット４２と前後に隔てて設置される導光帯４３、及び第２発光ユニット４２と導光帯４３との間に位置する集光帯４４を含み、第２発光ユニット４２は、第２回路基板４２１、及び横方向に間隔を隔て、第２回路基板４２１と電気接続される複数の第２発光部材４２２を含み、集光帯４４は、複数の第２発光部材４２２にそれぞれ対応する複数の集光突出部４４１を備え、よって、第２発光部材４２２からの光線がまず集光突出部４４１によって集光され、その後に導光帯４３を通過してサイド透光台４１から出射される。
【００１７】
図３、４、５、６に示されているように、本実施例の水箱保護シールドは、その使用に際して第２発光部材４２２によって放出される光線が集光帯４４を通過して前方の導光帯４３に投射され、最後にサイド透光台４１を透過して出射する。即ち、第２発光部材４２２からの光線がシールド本体１のサイド発光領域１３２から出射するということである。また、第１発光部材３５２からの光線がシールド本体１の標識台１２２における透光性の環状壁１２８から側方向に沿ってメイン発光領域１２０に投射されることにより、ソフトで神秘的かつ眩しくない光線によって標識効果を高める目的を達成できる。
【００１８】
以上の説明から分かるように、本案に係る水箱保護シールドによれば、第２発光部材４２２からの光線が集光帯４４及び導光帯４３を介してシールド本体１の標識部１２の両側から横方向の帯状の形で均一に投射される以外、シールド本体１の標識部１２における第１発光部材３５２が側方向投射の方式で光線を標識部１２のメイン発光領域１２０内に投射する。このように側方向に光を放出し、且つ光線を水箱保護シールドの標識部１２に集中させる設計は、その構造が斬新であるとともに、出射された光線が非常に柔らかくて眩しくなく、同時に神秘さと朦朧さを兼ね備えているという独特の効果がある。より重要なのは、本案においてシールド本体１のメイン発光領域１２０に対応する光線を側方向投射の方式で標識部１２を備えるメイン発光領域１２０に投射することにより、標識部１２の標識効果を確実に高めることができるということである。そのため、本考案は、新規でかつ実用性のある発光の水箱保護シールドを提供することができる。
【００１９】
上述の事項は本考案の一好適な実施例に限定したものに過ぎず、本考案の実施の範囲を制限するものではない。即ち、本実用新案登録請求の範囲及び明細書の記載事項をもとに行われた簡単な等価変更や修正であれば、いずれも本実用新案の請求の範囲内に属する。
【符号の説明】
【００２０】
１        シールド本体
１１      外枠部
１１１  環状枠壁
１２    標識部
１２０  メイン発光領域
１２１  枠台
１２２  標識台
１２３  中心領域
１２４  延伸領域
１２７  前端壁
１２８  透光性の環状壁
１２９  組立てスペース
１３      サイド接続部
１３１  サイド延伸帯
１３２  サイド発光領域
１４    貫通部
１４１  貫通孔
２        遮光板
２１    環状キャッピング壁
２２      遮光壁
３        メイン発光装置
３２      網状キャップ
３５      第１発光ユニット
３５０  後部キャップ
３５１  第１回路基板
３５２  第１発光部材
３５３  径方向立壁
３５４  取付け壁
４      サイド発光装置
４１    サイド透光台
４２      第２発光ユニット
４２１  第２回路基板
４２２  第２発光部材
４３      導光帯
４４      集光帯
４４１  集光突出部
【図１】
0003191457.tif 000003
【図２】
0003191457.tif 000004
【図３】
0003191457.tif 000005
【図４】
0003191457.tif 000006
【図５】
0003191457.tif 000007
【図６】
0003191457.tif 000008
【手続補正書】
【提出日】平成26年4月25日(2014.4.25)
【手続補正２】
【補正対象書類名】明細書
【補正対象項目名】０００１
【補正方法】変更
【補正の内容】
【０００１】
本実用新案は、保護シールドに関し、特に車両ラジエータの前方に取付けられ、且つ光線を放出できる発光のラジエータ保護シールドに関するものである。以下、「ラジエータ」として「水箱」との用語も用いる場合がある。
【手続補正３】
【補正対象書類名】明細書
【補正対象項目名】０００５
【補正方法】変更
【補正の内容】
【０００５】
本実用新案に係る発光のラジエータ保護シールドは、シールド本体と、該シールド本体に取付けられるメイン発光装置とを備え、該シールド本体はメイン発光領域を有する標識部を備えている。また、該メイン発光装置は、該シールド本体の標識部に取付けられ、且つ第１発光ユニットを備え、該第１発光ユニットは、光線を側方向から該シールド本体のメイン発光領域に投射する複数の第１発光部材を備える。
【手続補正４】
【補正対象書類名】明細書
【補正対象項目名】０００９
【補正方法】変更
【補正の内容】
【０００９】
図１、２、３に示されているように、本実用新案に係る発光のラジエータ保護シールドの一好適な実施例は、シールド本体１、シールド本体１の前方に取付けられる遮光板２、シールド本体１に取付けられ、且つ中央近傍に位置するメイン発光装置３、及びシールド本体１に取付けられ、且つメイン発光装置３の反対側に位置する（発光装置３を間に挟んで対向する位置に）二つのサイド発光装置４を含む。
【手続補正５】
【補正対象書類名】明細書
【補正対象項目名】００１１
【補正方法】変更
【補正の内容】
【００１１】
標識台１２２の形状及び組立て方法については特に制限がなく、本実施例においては車のロゴを例として挙げる。標識台１２２は、前方に位置する前端壁１２７、及び前端壁１２７から後方に向かって延伸する透光性の環状壁１２８を備え、前端壁１２７及び透光性の環状壁１２８によって開口が後方に向かう組立てスペース１２９が画定され、組立てスペース１２９は、中央に位置する中心領域１２３、及び中心領域１２３を同じ角度で取り囲み、且つ径方向外側に向かって延伸する複数の延伸領域１２４を含む。
【手続補正６】
【補正対象書類名】明細書
【補正対象項目名】００１７
【補正方法】変更
【補正の内容】
【００１７】
図３、４、５、６に示されているように、本実施例のラジエータ保護シールドは、その使用に際して第２発光部材４２２によって放出される光線が集光帯４４を通過して前方の導光帯４３に投射され、最後にサイド透光台４１を透過して出射する。即ち、第２発光部材４２２からの光線がシールド本体１のサイド発光領域１３２から出射するということである。また、第１発光部材３５２からの光線がシールド本体１の標識台１２２における透光性の環状壁１２８から側方向に沿ってメイン発光領域１２０に投射されることにより、ソフトで神秘的かつ眩しくない光線によって標識効果を高める目的を達成できる。
【手続補正７】
【補正対象書類名】明細書
【補正対象項目名】００１８
【補正方法】変更
【補正の内容】
【００１８】
以上の説明から分かるように、本案に係るラジエータ保護シールドによれば、第２発光部材４２２からの光線が集光帯４４及び導光帯４３を介してシールド本体１の標識部１２の両側から横方向の帯状の形で均一に投射される以外、シールド本体１の標識部１２における第１発光部材３５２が側方向投射の方式で光線を標識部１２のメイン発光領域１２０内に投射する。このように側方向に光を放出し、且つ光線をラジエータ保護シールドの標識部１２に集中させる設計は、その構造が斬新であるとともに、出射された光線が非常に柔らかくて眩しくなく、同時に神秘さと朦朧さを兼ね備えているという独特の効果がある。より重要なのは、本案においてシールド本体１のメイン発光領域１２０に対応する光線を側方向投射の方式で標識部１２を備えるメイン発光領域１２０に投射することにより、標識部１２の標識効果を確実に高めることができるということである。そのため、本考案は、新規でかつ実用性のある発光のラジエータ保護シールドを提供することができる。
【手続補正８】
【補正対象書類名】実用新案登録請求の範囲
【補正対象項目名】全文
【補正方法】変更
【補正の内容】
【実用新案登録請求の範囲】
【請求項１】
発光のラジエータ保護シールドにおいて、
メイン発光領域を有する標識部を備えるシールド本体と、
前記シールド本体の標識部に取付けられるメイン発光装置と、を備え、
前記メイン発光装置は、光線を側方向から前記シールド本体の前記メイン発光領域に投射する複数の第１発光部材を有する第１発光ユニットを備える、発光のラジエータ保護シールド。
【請求項２】
前記シールド本体の標識部は、前記メイン発光領域を画定する枠台と、前記枠台内に位置する標識台と、を備え、
前記標識台は、前端壁と、前記前端壁から前記メイン発光領域へ延伸する透光性の環状壁と、前記前端壁と前記透光性の環状壁とにより画定され、且つ前記第１発光ユニットを取付けるための組立てスペースと、を備える、請求項１に記載の発光のラジエータ保護シールド。
【請求項３】
前記シールド本体の標識台における組立てスペースは、少なくとも一つのサイド延伸領域を有し、
前記メイン発光装置の第１発光ユニットは、第１回路基板を備え、
前記第１回路基板は、前記組立てスペースのサイド延伸領域に対応する少なくとも一つの径方向立壁と、前記第１発光部材を取付けるための、前記径方向立壁から前方へ延伸する取付け壁と、を備える、請求項２に記載の発光のラジエータ保護シールド。
【請求項４】
前記シールド本体の標識台における組立てスペースは、中心領域と、同じ角度で前記中心領域から前記枠台へ延伸する複数のサイド延伸領域と、を有し、
前記メイン発光装置の第１発光ユニットは、第１回路基板を備え、
前記第１回路基板は、前記組立てスペースのサイド延伸領域にそれぞれ対応する複数の径方向立壁と、前記第１発光部材を取付けるための、前記径方向立壁から前方へ延伸する複数の取付け壁と、を備える、請求項２に記載の発光のラジエータ保護シールド。
【請求項５】
前記シールド本体の標識台は、透光性材料で製造され、
前記発光のラジエータ保護シールドは、前記シールド本体の前方に取付けられる遮光板を更に備え、
前記遮光板は、前記標識台の前端壁の前方を覆うように配設される遮光壁を備える、請求項４に記載の発光のラジエータ保護シールド。
【請求項６】
前記シールド本体は、外枠部と、左右に分けて設置され、前記外枠部及び前記標識部の間に接続される二つのサイド接続部と、を更に備え、
各サイド接続部は、上下に分けて設置される二つのサイド延伸帯と、前記二つのサイド延伸帯の間に介在するサイド発光領域と、を備え、
前記発光のラジエータ保護シールドは、二つの、それぞれ前記サイド発光領域内に取付けられるサイド発光装置をさらに備える、請求項２〜５のいずれか１項に記載の発光のラジエータ保護シールド。
【請求項７】
各前記サイド発光装置は、前記シールド本体のサイド発光領域内に取付けられるサイド透光台と、第２発光ユニットと、前記サイド透光台及び前記第２発光ユニットの間に介在する導光帯と、を備える、請求項６に記載の発光のラジエータ保護シールド。
【請求項８】
前記サイド発光装置の前記第２発光ユニットは、横方向に間隔を隔てて設置される複数の第２発光部材を備え、
前記サイド発光装置は、前記第２発光ユニット及び前記導光帯の間に介在する集光帯をさらに備える、請求項７に記載の発光のラジエータ保護シールド。
【請求項９】
前記サイド発光装置の集光帯は、それぞれ前記第２発光部材に対応する複数の集光突出部を備える、請求項８に記載の発光のラジエータ保護シールド。
【手続補正９】
【補正対象書類名】図面
【補正対象項目名】図１
【補正方法】変更
【補正の内容】
【図１】
0003191457.tif 000009
【手続補正１０】
【補正対象書類名】図面
【補正対象項目名】図３
【補正方法】変更
【補正の内容】
【図３】
0003191457.tif 000010